(57)【要約】      （修正有）【課題】複数の撮像レンズのそれぞれを識別することを可能とする。【解決手段】レンズ識別情報の記憶手段を有する撮像レンズが交換可能な撮像装置であって、前記本体部に装着される撮像レンズの記憶手段に記憶されたレンズ識別情報を取得する取得手段と、前記取得手段で取得されたレンズ識別情報が未設定であることを示す初期値であるかどうかを判定する判定手段と、前記レンズ識別情報が前記初期値であると前記判定手段によって判定された場合に、前記本体部に装着されている撮像レンズに固有のレンズ識別情報を生成する生成手段と、前記レンズ識別情報が前記初期値であると前記判定手段によって判定された場合に、前記記憶手段に記憶された前記レンズ識別情報を前記生成手段で生成されたレンズ識別情報に変更するように、前記本体部に装着されている撮像レンズの、前記記憶手段に記憶されたレンズ識別情報を変更する変更手段を制御する制御手段と、を有する。【選択図】図１
2012108389.tif 000002
【特許請求の範囲】
【請求項１】
レンズ識別情報を記憶するための第１の記憶手段を有する撮像レンズが交換可能に着脱される本体部を備える撮像装置であって、
前記本体部に装着されている撮像レンズの前記第１の記憶手段に記憶されたレンズ識別情報を取得する取得手段と、
前記取得手段で取得されたレンズ識別情報が未設定であることを示す初期値であるかどうかを判定する判定手段と、
前記レンズ識別情報が前記初期値であると前記判定手段によって判定された場合に、前記本体部に装着されている撮像レンズに固有のレンズ識別情報を生成する生成手段と、
前記レンズ識別情報が前記初期値であると前記判定手段によって判定された場合に、前記第１の記憶手段に記憶された前記レンズ識別情報を前記生成手段で生成されたレンズ識別情報に変更するように、前記本体部に装着されている撮像レンズの、前記第１の記憶手段に記憶されたレンズ識別情報を変更する変更手段を制御する制御手段と、
を有することを特徴とする撮像装置。
【請求項２】
前記本体部の機種を表す機種情報と、前記本体部に固有の本体部識別情報と、連続する番号とを記憶する第２の記憶手段を更に有し、
前記生成手段は、前記機種情報と、前記本体部識別情報と、前記連続する番号のうち前記レンズ識別情報を生成するために使用されていない１つの番号とを組み合わせて前記レンズ識別情報を生成することを特徴とする請求項１に記載の撮像装置。
【請求項３】
前記生成手段は、前記レンズ識別情報が前記初期値ではないと前記判定手段によって判定された場合には、前記本体部に装着されている撮像レンズに固有のレンズ識別情報を生成しないことを特徴とする請求項１又は２に記載の撮像装置。
【請求項４】
前記本体部に装着されている撮像レンズの焦点位置を調整する調整手段と、
前記撮像レンズの焦点位置を調整する際の補正量をユーザの設定に応じて設定する設定手段と、
前記設定手段で設定された補正値を前記本体部に装着されたことのある撮像レンズのレンズ識別情報ごとに記憶する第３の記憶手段と、
を更に有し、
前記調整手段は、前記本体部に装着されている撮像レンズを通過する被写体像のデフォーカス量を検出し、当該デフォーカス量を、前記本体部に装着されている撮像レンズの前記第１の記憶手段に記憶されたレンズ識別情報に対応する、前記第３の記憶手段に記憶された補正値で補正し、当該補正されたデフォーカス量がゼロとなるように前記撮像レンズの焦点位置を調整することを特徴とする請求項１乃至３のうちいずれか１項に記載の撮像装置。
【請求項５】
被写体を撮像するための本体部に交換可能に着脱され、固有のレンズ識別情報を記憶するための第１の記憶手段を有する撮像レンズの焦点位置を調整する焦点調整装置であって、
前記本体部に装着されている撮像レンズの焦点位置を調整する際の補正量をユーザの設定に応じて設定する設定手段と、
前記設定手段で設定された補正値を前記本体部に装着されたことのある撮像レンズのレンズ識別情報ごとに記憶する第２の記憶手段と、
前記本体部に装着されている撮像レンズを通過する被写体像のデフォーカス量を検出し、当該デフォーカス量を、前記本体部に装着されている撮像レンズの前記第１の記憶手段に記憶されたレンズ識別情報に対応する、前記第２の記憶手段に記憶された補正値で補正し、当該補正されたデフォーカス量がゼロとなるように前記撮像レンズの焦点位置を調整する調整手段と、
を有し、
前記本体部に装着されている撮像レンズの前記第１の記憶手段に記憶されたレンズ識別情報が未設定であることを示す初期値である場合に、前記本体部に装着されている撮像レンズに固有のレンズ識別情報を生成し、前記第１の記憶手段に記憶された前記レンズ識別情報を前記生成したレンズ識別情報に変更するように、前記本体部に装着されている撮像レンズの、前記第１の記憶手段に記憶されたレンズ識別情報を変更する変更手段を制御することを特徴とする焦点調整装置。
【発明の詳細な説明】
【技術分野】
【０００１】
本発明は、焦点調整装置及び撮像装置に関する。
【背景技術】
【０００２】
撮像レンズが交換可能に着脱される本体部を備える撮像装置（交換撮像レンズ式一眼レフカメラ）では、本体部及び撮像レンズのそれぞれがＭＰＵ（マイクロプロセッシングユニット）を有し、互いに通信することで焦点調整機能を実現している。具体的には、本体部側のＭＰＵが焦点検出のためにデフォーカス量を検出するセンサを制御し、撮像レンズ側のＭＰＵが撮像レンズごとの光学的なピント補正値を本体部側のＭＰＵに送信することで、撮像レンズごとに最適な焦点検出を実現することができる。
【０００３】
このような撮像装置においては、自動焦点調整のための調整値を予め記憶させておくこと、所謂、ピント調整が従来から知られている。ピント調整とは、生産時の公差等に起因する使用部品の個体差を校正工程で検出し、それぞれの動作特性に応じた調整値を工場出荷時に不揮発性メモリに記憶させ、かかる調整値に基づいて適正な焦点調整を行わせるものである。
【０００４】
一方、撮像レンズや本体部に強い衝撃が加えられる（例えば、撮像レンズや本体部を落下させる）と、ピント位置がずれてしまう可能性がある。また、撮像レンズからデフォーカス量を検出するセンサまでの光学系の経路にクイックリターンミラーなどが配置されていると、シャッタの開閉のたびにミラーの角度が徐々に変化してピント位置がずれていくことがある。このような場合には、サービスセンターに撮像レンズや本体部を持ち込み、不揮発性メモリに記憶されている調整値を調整してもらえばよいが、サービスセンターの場所は限られており、迅速性の観点から問題がある。
【０００５】
そこで、工場出荷時に不揮発性メモリに記憶させる調整値とは別に、ユーザ（撮像者）が自由に設定することができる補正値を本体部に記憶させておく技術（マイクロアジャストメント）が提案されている（特許文献１参照）。かかる技術によれば、ピント調整を自由に補正することができ、且つ、工場出荷時の設定に戻すこともできる。
【先行技術文献】
【特許文献】
【０００６】
【特許文献１】特開２００１−１７４６９０号公報
【発明の概要】
【発明が解決しようとする課題】
【０００７】
しかしながら、特許文献１に開示された技術では、ユーザが自由に設定することができる補正値は１つだけであり、交換撮像レンズ式一眼レフカメラのように複数の撮像レンズが装着される撮像装置に適用可能な技術はこれまで提案されていない。
【０００８】
なお、複数の撮像レンズのそれぞれを本体部側で識別するために、撮像レンズの機種名を利用することが考えられる。但し、同じ機種名の複数の撮像レンズを共有して使用する場合には、同じ機種名の撮像レンズに対して同一のマイクロアジャストメントが適用されることになるため、撮像レンズのそれぞれを識別してピント調整を行うには不十分である。
【０００９】
また、複数の撮像レンズのそれぞれを識別するために、固有のレンズ識別情報（例えば、シリアル番号）を撮像レンズに記憶させることも考えられる。但し、全ての撮像レンズにレンズ識別情報を記憶させることは、コスト面の観点で不利となる。
【００１０】
本発明は、このような従来技術の課題に鑑みてなされ、複数の撮像レンズのそれぞれを識別することを可能とする技術を提供することを例示的目的とする。
【課題を解決するための手段】
【００１１】
上記目的を達成するために、本発明の一側面としての撮像装置は、レンズ識別情報を記憶するための第１の記憶手段を有する撮像レンズが交換可能に着脱される本体部を備える撮像装置であって、前記本体部に装着されている撮像レンズの前記第１の記憶手段に記憶されたレンズ識別情報を取得する取得手段と、前記取得手段で取得されたレンズ識別情報が未設定であることを示す初期値であるかどうかを判定する判定手段と、前記レンズ識別情報が前記初期値であると前記判定手段によって判定された場合に、前記本体部に装着されている撮像レンズに固有のレンズ識別情報を生成する生成手段と、前記レンズ識別情報が前記初期値であると前記判定手段によって判定された場合に、前記第１の記憶手段に記憶された前記レンズ識別情報を前記生成手段で生成されたレンズ識別情報に変更するように、前記本体部に装着されている撮像レンズの、前記第１の記憶手段に記憶されたレンズ識別情報を変更する変更手段を制御する制御手段と、を有することを特徴とする。
【００１２】
本発明の更なる目的又はその他の側面は、以下、添付図面を参照して説明される好ましい実施形態によって明らかにされるであろう。
【発明の効果】
【００１３】
本発明によれば、例えば、複数の撮像レンズのそれぞれを識別することを可能とする技術を提供することができる。
【図面の簡単な説明】
【００１４】
【図１】本発明の一側面としての撮像装置の構成を示す概略ブロック図である。
【図２】図１に示す撮像装置におけるマイクロアジャストメント補正値の設定を説明するためのフローチャートである。
【図３】図１に示す撮像装置において、マイクロアジャストメント補正量を設定する設定画面の一例を示す図である。
【発明を実施するための形態】
【００１５】
以下、添付図面を参照して、本発明の好適な実施の形態について説明する。なお、各図において、同一の部材については同一の参照番号を付し、重複する説明は省略する。
【００１６】
図１は、本発明の一側面としての撮像装置１の構成を示す概略ブロック図である。撮像装置１は、本実施形態では、交換撮像レンズ式一眼レフカメラとして具現化され、撮像レンズ１０と、本体部２０とを備える。また、撮像装置１は、被写体を撮像するための本体部２０にマウントＭを介して交換可能に着脱される撮像レンズの焦点位置を調整する焦点調整機能を有する（即ち、焦点調整装置としても機能する）。
【００１７】
撮像レンズ１０は、レンズ側ＭＰＵ（マイクロプロセッシングユニット）１１０と、レンズ１２２を駆動するためのレンズ駆動部１２０と、絞り１３２を駆動するための絞り駆動部１３０とを有する。また、撮像レンズ１０は、撮像レンズの距離環位置を検出するための距離環位置検出部１４０と、ＥＥＰＲＯＭなどの不揮発性メモリで構成される記憶部（第１の記憶部）１５０とを有する。
【００１８】
記憶部１５０には、撮像レンズ個体を識別するための固有のレンズ識別情報１５２が記憶されている。このように、記憶部１５０は、固有のレンズ識別情報１５２を記憶する機能を有する。なお、レンズ識別情報１５２には、工場出荷時には、レンズ識別情報１５２が未設定であることを示す初期値（具体的には、オール０）が設定される。
【００１９】
記憶部１５０に記憶されたレンズ識別情報１５２は、本体側ＭＰＵ２１０と通信可能なレンズ側ＭＰＵ１１０を介して、本体部２０に送信することが可能である。また、レンズ側ＭＰＵ１１０（のＲＯＭ）には、撮像レンズ１０の機種を示すレンズ機種名１１２が記憶されている。レンズ側ＭＰＵ１１０がレンズ機種名１１２を本体部２０に送信することで、本体部２０は、本体部２０に装着されている撮像レンズ１０の機種を識別することができる。
【００２０】
本体部２０は、本体側ＭＰＵ２１０と、検出部２２０と、ミラー駆動部２３０と、記憶部（第２の記憶部、第３の記憶部）２４０と、撮像部２５０と、記録部２６０と、表示部２７０と、操作部２８０とを有する。また、本体部２０は、電子ビューファインダー（ＥＶＦ）を構成するためのピント板、ペンタミラー及びファインダーなども有する。
【００２１】
本体側ＭＰＵ２１０は、マウントＭを介して、レンズ側ＭＰＵ１１０と通信可能である。本体側ＭＰＵ２１０（のＲＯＭ（第２の記憶部））には、カメラの機種名ごとに固有に割り振られたカメラＩＤ２１２が記憶されており、本体側ＭＰＵ２１０は自身の機種名を識別することができる。このように、本体側ＭＰＵ２１０（のＲＯＭ）は、本体部２０の機種を表す機種情報としてカメラＩＤ２１２を記憶する機能を有する。なお、カメラＩＤ２１２は、本実施形態では、本体側ＭＰＵ２１０に記憶されているが、記憶部２４０に記憶されていてもよい。
【００２２】
検出部２２０は、後述するように、本体側ＭＰＵ２１０と協同して、本体部２０に装着されている撮像レンズ１０を通過する被写体像のデフォーカス量を検出する機能を有する。検出部２２０は、本実施形態では、焦点検出光学系（不図示）によって導かれた被写体からの光（被写体像）を光電変換し、電位変化として本体側ＭＰＵ２１０に出力する。
【００２３】
ミラー駆動部２３０は、メインミラー２３２ａ及びサブミラー２３２ｂで構成されるクイックリターンミラー２３２を駆動する。具体的には、ミラー駆動部２３０は、被写体の撮像開始時には、クイックリターンミラー２３２を撮像光路（撮像レンズ１０と撮像素子２５２との間の光路）から退避させる。また、ミラー駆動部２３０は、被写体の撮像完了時には、クイックリターンミラー２３２を撮像光路に復帰させる。
【００２４】
記憶部２４０は、ＥＥＰＲＯＭなどの不揮発性メモリで構成される。記憶部２４０には、本体部（カメラ）個体を識別するための固有のカメラ識別情報２４２が記憶されている。カメラ識別情報２４２には、例えば、本体部（カメラ）のシリアル番号が工場出荷時に設定される。また、記憶部２４０には、レンズ識別情報１５２を生成する際に必要となる連続する番号２４４が記憶されている。このように、記憶部２４０は、本体部２０に固有の本体部識別情報であるカメラ識別情報２４２と、連続する番号２４４とを記憶する機能を有する。
【００２５】
更に、記憶部２４０は、検出部２２０で検出されたデフォーカス量を補正するための補正値を、本体部２０に装着されたことのある撮像レンズ１０のレンズ識別情報１５２ごとに記憶する機能も有する。ここで、検出部２２０で検出されたデフォーカス量を補正するための補正値とは、ユーザの入力に応じて自由に設定することができる補正値（マイクロアジャストメント補正値）である。本実施形態では、撮像レンズ１０の機種と、撮像レンズ１０のレンズ識別情報１５２と、マイクロアジャストメント補正値とを１つの組とする補正テーブル２４６として記憶部２４０に記憶される。なお、補正テーブル２４６には、工場出荷時には、補正テーブル２４６が未設定であることを示す初期値（具体的には、オール０）が設定される。
【００２６】
撮像部２５０は、撮像素子２５２に蓄積された電荷を画像として本体側ＭＰＵ２１０に出力させる。記録部２６０は、撮像素子２５２で撮像された画像を画像ファイルとして記録媒体に記録する。表示部２７０は、記録媒体に記録された画像ファイルに対応する画像や設定画面などを表示パネル２７２に表示させる。
【００２７】
操作部２８０は、撮像装置１の撮像に関する動作（例えば、シャッタ速度、絞り値、撮像モードなど）を設定するためのボタン及びダイヤルや撮像を指示するためのレリーズボタンなどを含む。なお、レリーズボタンは、半押しによりオン状態となる撮像準備用のスイッチＳＷ１と、全押しいよりオン状態となる撮像開始用のスイッチＳＷ２とを含む。また、操作部２８０は、本実施形態では、マイクロアジャストメント補正値の設定に関する動作を行うためのマイクロアジャストメント設定スイッチやマイクロアジャストメント補正値入力ダイヤルなども含む。
【００２８】
本実施形態では、スイッチＳＷ１がオン状態になると、焦点調整機能が動作する。具体的には、まず、検出部２２０からの出力（デフォーカス量）に応じて、本体側ＭＰＵ２１０がレンズ側ＭＰＵ１１０に対してレンズ駆動命令を送信する。そして、本体側ＭＰＵ２１０からのレンズ駆動命令に基づいて、レンズ側ＭＰＵ１１０がレンズ駆動部１２０を制御して、撮像レンズ１０の距離環を駆動することで焦点調整が行われる。また、スイッチＳＷ２がオン状態になると、本体側ＭＰＵ２１０、撮像部２５０、レンズ側ＭＰＵ１１０及び絞り駆動部１３０などが被写体を撮像するための一連の動作を行う。そして、スイッチＳＷ１がオフ状態になると、焦点調整機能が停止する。
【００２９】
撮像レンズ１０の焦点を調整する際に必要となるデフォーカス量は、本実施形態では、本体側ＭＰＵ２１０において、検出部２２０からの出力に基づいて算出される。具体的には、撮像レンズ１０において互いに異なる２つの瞳領域を通過した光束で形成される２つの像の相対変位量からデフォーカス量が算出される。撮像レンズ１０において互いに異なる２つの瞳領域を通過した光束は、ハーフミラーで構成されたメインミラー２３２ａを通過し、サブミラー２３２ｂで反射され、焦点検出光学系（不図示）によって検出部２２０に導かれる。検出部２２０は、ラインセンサ対の光電変換素子を含み、かかる光電変換素子の上に形成された被写体像を電位変化として出力する。本体側ＭＰＵ２１０は、検出部２２０から出力される電位変化に相関演算を施して２つの像の相対変位量を求め、かかる相対変位量に固有の係数を掛けることでデフォーカス量を算出する。
【００３０】
このように、本実施形態では、本体側ＭＰＵ２１０及び検出部２２０によって、撮像レンズ１０を通過する被写体像のデフォーカス量を求めることができる。但し、デフォーカス量がゼロとなる位置に被写体が存在していたとしても、焦点検出系などの公差によって、全ての撮像装置においてピントがゼロになるとは限らない。そこで、校正工程において、撮像素子２５２にピントが合っている状態で、本体側ＭＰＵ２１０及び検出部２２０によって求められるデフォーカス量をゼロにするための調整値を記憶部２４０に記憶させる必要がある。
【００３１】
具体的には、まず、撮像装置１のフランジバック（撮像レンズ１０から撮像素子２５２までの距離）を測定して、設計値からのフランジバックのずれ量を求める。次に、既知の距離に位置する被写体（基準被写体）に対して予めピントを合わせてある基準レンズを、フランジバックのずれ量だけ補正する。次いで、基準被写体のデフォーカス量を検出し、検出したデフォーカス量をゼロにするための調整値を記憶部２４０に記憶させる。そして、焦点調整機能の動作時には、検出部２２０の出力から算出されるデフォーカス量に、記憶部２４０に記憶させた調整値を加えたものをデフォーカス量とする。これにより、撮像装置１の個体差を吸収した焦点調整（焦点検出）を行うことが可能となる。なお、本実施形態では、記憶部２４０に記憶させた調整値を加えたデフォーカス量に、ベストピント補正値やマイクロアジャストメント補正値が更に加えられる。
【００３２】
ここで、ベストピント補正値とは、撮像時の被写体光束の焦点と焦点検出光学系による被写体光束の焦点とのずれ量に対する補正値である。撮像時の被写体光束の焦点と焦点検出光学系による被写体光束の焦点とのずれ量は、撮像素子２５２と検出部２２０との分光感度のずれや撮像レンズ１０の球面収差に起因するため、撮像レンズ１０の距離環位置ごとに異なる値となる。なお、ベストピント補正値は、本体部２０に装着されている撮像レンズ１０のレンズ側ＭＰＵ１１０に記憶されている。レンズ側ＭＰＵ１１０は、距離環位置検出部１４０から出力される現在の距離環位置に対応するベストピント補正値を本体部２０の本体側ＭＰＵ２１０に送信する。本体側ＭＰＵ２１０は、ベストピント補正値を加えたものをデフォーカス量とすることで、撮像レンズ１０ごとに最適な焦点調整（焦点検出）を可能にしている。
【００３３】
また、マイクロアジャストメント補正値とは、上述したように、デフォーカス量を補正するために、本体部２０に装着される撮像レンズ１０ごとに（即ち、撮像レンズ１０を識別して）自由に設定される補正値である。マイクロアジャストメント補正値は、本実施形態では、補正テーブル２４６として記憶部２４０に記憶される。これにより、撮像レンズ１０に応じた自由なピント調整を行うことが可能となる。具体的には、本体側ＭＰＵ２１０は、記憶部２４０から、本体部２０に装着されている撮像レンズ１０のレンズ識別情報１５２、及び、かかるレンズ識別情報１５２に対応するアジャストメント補正値（即ち、補正テーブル２４６を検索する。そして、撮像レンズ１０のレンズ識別情報１５２に対応するアジャストメント補正値が検索された場合には、検出部２２０の出力から算出されるデフォーカス量に、アジャストメント補正値を加えたものをデフォーカス量とする。
【００３４】
以下、図２を参照して、撮像装置１におけるマイクロアジャストメント補正値の設定について説明する。マイクロアジャストメント補正値の設定は、ユーザが操作部２８０の一部を構成するマイクロアジャストメント設定スイッチを操作（押す）ことで開始される。
【００３５】
Ｓ１００２において、本体側ＭＰＵ２１０は、レンズ側ＭＰＵ１１０を介して、本体部２０に装着されている撮像レンズ１０のレンズ識別情報１５２を取得する。
【００３６】
Ｓ１００４において、本体側ＭＰＵ２１０は、Ｓ１００２で取得したレンズ識別情報１５２が初期値であるかどうか（即ち、レンズ識別情報１５２が未設定であるかどうか）を判定する。Ｓ１００２で取得したレンズ識別情報１５２が初期値である場合には、Ｓ１００６に移行し、Ｓ１００２で取得したレンズ識別情報１５２が初期値でない場合には、Ｓ１００８に移行する。
【００３７】
Ｓ１００６において、本体側ＭＰＵ２１０は、本体部２０に装着されている撮像レンズ１０のレンズ識別情報１５２を生成する。具体的には、本体側ＭＰＵ２１０は、本体側ＭＰＵ２１０（のＲＯＭ）に記憶されているカメラＩＤ２１２と、記憶部２４０に記憶されているカメラ識別情報２４２及び連続する番号２４４とを組み合わせて、レンズ識別情報１５２を生成する。換言すれば、本体側ＭＰＵ２１０は、「カメラＩＤ２１２」＋「カメラ識別情報２４２」＋「連続する番号２４４」を「レンズ識別情報１５２」として生成する。なお、連続する番号２４４には、レンズ識別情報１５２を生成するために使用されていない１つの番号を用いる。これにより、異なる機種の撮像装置や同じ機種の撮像装置でも別の撮像装置によって生成されたレンズ識別情報とは重複しないレンズ識別情報（即ち、固有のレンズ識別情報）が生成される。また、本体側ＭＰＵ２１０で生成されたレンズ識別情報１５２は、レンズ側ＭＰＵ１１０に送信される。そして、レンズ側ＭＰＵ１１０は、記憶部１５０に記憶されているレンズ識別情報１５２（初期値）を、本体側ＭＰＵ２１０で生成されたレンズ識別情報１５２に変更する。即ち、撮像レンズ１０では、工場出荷後、本体部２０に装着されたときに、固有のレンズ識別情報に変更される。
【００３８】
Ｓ１００８において、本体側ＭＰＵ２１０は、Ｓ１００２で取得したレンズ識別情報１５２を検索キーとして、記憶部２４０に記憶されている補正テーブル２４６を検索する。換言すれば、本体側ＭＰＵ２１０は、Ｓ１００２で取得したレンズ識別情報１５２に対応するアジャストメント補正値（補正テーブル）が記憶部２４０に記憶されているかどうかを判定する。Ｓ１００２で取得したレンズ識別情報１５２に対応するアジャストメント補正値が記憶部２４０に記憶されていない場合には、Ｓ１０１０に移行する。また、Ｓ１００２で取得したレンズ識別情報１５２に対応するアジャストメント補正値が記憶部２４０に記憶されている場合には、Ｓ１０１４に移行する。なお、Ｓ１００２で取得したレンズ識別情報１５２が初期値であり、本体側ＭＰＵ２１０がレンズ識別情報１５２を生成した場合には、かかるレンズ識別情報１５２に対応するアジャストメント補正値が記憶部２４０に記憶されていることはない。このような場合には、Ｓ１００４及び後述するＳ１００８を省略して、Ｓ１０１０に移行することが好ましい。
【００３９】
Ｓ１０１０において、本体側ＭＰＵ２１０は、記憶部２４０の記憶容量に空きがあるか、即ち、新たな補正テーブル２４６を記憶することができるかどうかを判定する。新たな補正テーブル２４６を記憶することができる場合には、かかる補正テーブル２４６に、撮像レンズ１０の機種と、Ｓ１００２で取得したレンズ識別情報１５２とを書き込み、Ｓ１０１４に移行する。なお、撮像レンズ１０の機種は、例えば、Ｓ１００２において、レンズ識別情報１５２と共に、レンズ機種名１１２を取得することで識別することができる。また、新たな補正テーブル２４６を記憶することができない場合には、Ｓ１０１２に移行する。
【００４０】
Ｓ１０１２において、本体側ＭＰＵ２１０は、表示部２７０を介して、新たな補正テーブル２４６を記憶することができない旨（例えば、「記憶容量に空きがありません」などのメッセージ）を表示パネル２７２に表示する。
【００４１】
Ｓ１０１４では、本体側ＭＰＵ２１０は、ユーザの入力に応じて、本体部２０に装着されている撮像レンズ１０に対応するマイクロアジャストメント補正量を設定する。これにより、撮像レンズ１０の機種と、Ｓ１００２で取得したレンズ識別情報１５２とが書き込まれた補正テーブル２４６にマイクロアジャストメント補正量が更に書き込まれて記憶部２４０に記憶される。
【００４２】
図３は、マイクロアジャストメント補正量を設定するための設定画面の一例を示す図である。ユーザは、表示パネル２７２に表示された図３に示す設定画面において、操作部２８０の一部を構成するマイクロアジャストメント補正値入力ダイヤルを操作することで、マイクロアジャストメント補正値を自由に設定することができる。図３に示す設定画面は、本実施形態では、補正テーブル２４６の番号「Ｎｏ．５」と、撮像レンズ１０の機種名「ＳＮＳ３００ｍｍ／２．８  ＳＣＭ」と、同じ機種名の撮像レンズ１０を識別するための番号「＃２」とを含む。なお、同じ機種名の撮像レンズ１０を識別するための番号は、補正テーブル２４６を撮像レンズ１０の機種名で検索し、かかる検索で一致した撮像レンズ１０に対して順番に割り振られる番号である。
【００４３】
図３に示す設定画面において、現在のマイクロアジャストメント補正値は、スケールバー上の白丸で表示される。ユーザは、マイクロアジャストメント補正値入力ダイヤルを操作することで、マイクロアジャストメント補正値を前ピン方向（被写体に対してピント位置が前側になる方向）又は後ピン方向（被写体に対してピント位置が後側になる方向）に設定することができる。図３に示す設定画面において入力されたマイクロアジャストメント補正値は、撮像レンズ１０の機種と撮像レンズ１０のレンズ識別情報１５２との組に対応する補正テーブル２４６に書き込まれ（設定され）、記憶部２４０に記憶される。
【００４４】
このように、本実施形態の撮像装置１では、撮像レンズ１０のそれぞれに対応するマイクロアジャストメント補正値を、本体部２０で生成される撮像レンズ１０に固有なレンズ識別情報１５２ごとに記憶している。そして、焦点調整機能の動作時には、検出部２２０の出力から算出されるデフォーカス量を、本体部２０に装着されている撮像レンズ１０のレンズ識別情報１５２に対応する、記憶部２４０に記憶されたマイクロアジャストメント補正値で補正する。次いで、補正されたデフォーカス量がゼロとなるように、撮像レンズ１０の焦点位置を調整する。従って、同じ機種名の複数の撮像レンズを共有して使用するような場合においても、撮像レンズのそれぞれを識別して、撮像レンズのそれぞれに最適なピント調整を行うことができる。換言すれば、本実施形態によれば、交換撮像レンズ式一眼レフカメラにおいても、マイクロアジャストメントを有効に機能させることができる。
【００４５】
以上、本発明の好ましい実施形態について説明したが、本発明はこれらの実施形態に限定されないことはいうまでもなく、その要旨の範囲内で種々の変形及び変更が可能である。例えば、本発明は、交換撮像レンズ式一眼レフカメラに限定されるものではなく、ビデオカメラなどの焦点検出装置を有する光学機器に適用することができる。
【図１】
2012108389.tif 000003
【図２】
2012108389.tif 000004
【図３】
2012108389.tif 000005